(57)【特許請求の範囲】
【請求項１】
試料水に含まれる有害物質を分析する水質分析装置であって、
前記試料水に接触させて前記有害物質を捕捉する試料固定部材と、
前記試料固定部材に向けて光源光を照射する光源と、
前記試料固定部材に前記光源光を照射して得られた分析光を分光分析する分析部と、
を備え、
前記試料固定部材は、前記光源光を透過可能な基材と、該基材の一面に形成された、前記有害物質を包接可能なホスト材料を含む包接層と、
前記ホスト材料に包接された前記有害物質を前記ホスト材料から取り除くための再生液を供給する再生液供給手段と、を有することを特徴とする水質分析装置。
【請求項２】
前記包接層は、前記ホスト材料と前記基材とを結合させる結合剤を更に含むことを特徴とする請求項１記載の水質分析装置。
【請求項３】
前記包接層は、前記ホスト材料に結合可能な蛍光物質を更に含むことを特徴とする請求項１または２記載の水質分析装置。
【請求項４】
前記有害物質は、２−メチルイソボルネオール、ゲオスミン、トリハロメタン、およびフミン質のうち、少なくとも何れか１つ以上を含むことを特徴とする請求項１ないし３いずれか一項記載の水質分析装置。
【請求項５】
前記基材は石英であることを特徴とする請求項１ないし４いずれか一項記載の水質分析装置。
【請求項６】
複数の前記包接層を互いに離間させ、かつ並列に配したことを特徴とする請求項１ないし５いずれか一項記載の水質分析装置。
【請求項７】
前記基材は四角筒を成し、前記包接層は前記四角筒の内側面のうちの任意の一面に形成されてなることを特徴とする請求項１ないし６いずれか一項記載の水質分析装置。
【請求項８】
前記試料水を、前記包接層の表面に沿って連続して流す試料水供給手段を備えたことを特徴とする請求項１ないし７いずれか一項記載の水質分析装置。
【請求項９】
試料水に含まれる有害物質を分析する水質分析システムであって、
前記試料水に接触させて前記有害物質を捕捉する試料固定部材と、前記試料固定部材に向けて光源光を照射する光源と、前記試料固定部材に前記光源光を照射して得られた分析光を分光分析する分析部と、前記試料水を、前記有害物質を包接可能なホスト材料を含む包接層の表面に沿って連続して流す試料水供給手段と、前記ホスト材料に包接された前記有害物質を前記ホスト材料から取り除くための再生液を供給する再生液供給手段と、前記光源、前記分析部、前記試料水供給手段、および再生液供給手段を制御する制御部と、を備え、
前記試料固定部材は、少なくとも複数配され、
前記試料固定部材は、前記光源光を透過可能な基材と、該基材の一面に形成された、前記有害物質を包接可能なホスト材料を含む包接層と、を有し、
前記制御部は、それぞれの前記試料固定部材に対して、前記試料水供給手段を制御して前記有害物質を包接させ、または前記分析部を制御して包接された前記有害物質を分析させ、または前記再生液供給手段を制御して前記包接層から前記有害物質を除去させることを特徴とする水質分析システム。
【発明の詳細な説明】
【技術分野】
【０００１】
本発明の実施形態は、被処理水に含まれる有害物質を高い検出感度で分析可能な水質分析装置、水質分析システムに関する。
【背景技術】
【０００２】
上下水や排水から有害物質を取り除く水処理において、処理プロセスの運転管理をするために、原水や処理水の水質を把握しておくことが重要である。そのため、例えば、化学的または光学的に、有害物質を分析する分析機器が広く利用されている。処理水の水質基準項目は多岐にわたっているために、分析機器もそれぞれの項目に応じてラインナップされている。
【０００３】
一方、浄水に関しては水源の富栄養化などによる藻類由来の異臭を軽減する取り組みとして、活性炭やオゾン注入による高度処理プロセスの導入が行われている。例えば、浄水の異臭の代表的な原因物質であるゲオスミンや２−メチルイソボルネオール（２−ＭＩＢ）を分析する際には、ガスクロマトグラフィー質量分析装置（ＧＣ−ＭＳ）が用いられている。
【０００４】
しかしながら、ガスクロマトグラフィー質量分析装置は、非常に高価であり、また分析にあたって試料の準備にも手間が掛かる。このため、実際の浄水場などでは、季節変化や気候などに基づいて、運転員の経験に基づいてプロセスを稼働させている状況にある。よって、活性炭やオゾンの注入不足を避けるために、運転員が余裕をもった注入率に設定する傾向にあり、活性炭やオゾンの過注入等が懸念される。こうした背景から、異臭、特にかび臭の原因物質（有害物質）であるゲオスミンや２−ＭＩＢなど、簡易な手順で低コストに、かつ正確に有害物質を分析可能な水質分析装置が求められていた。
【先行技術文献】
【特許文献】
【０００５】
【特許文献１】特開２００１−１３１２０４号公報
【発明の概要】
【発明が解決しようとする課題】
【０００６】
本発明が解決しようとする課題は、簡易な手順で低コストに、かつ正確に有害物質を分析可能な水質分析装置、水質分析システムを提供することにある。
【課題を解決するための手段】
【０００７】
実施形態の水質分析装置は、試料固定部材と、光源と、分析部と、を持つ。試料固定部材は、試料水に接触させて有害物質を捕捉する。光源は、前記試料固定部材に向けて光源光を照射する。分析部は、前記試料固定部材に前記光源光を照射して得られた分析光を分光分析する。前記試料固定部材は、前記光源光を透過可能な基材と、該基材の一面に形成された、前記有害物質を包接可能なホスト材料を含む包接層と、前記ホスト材料に包接された前記有害物質を前記ホスト材料から取り除くための再生液を供給する再生液供給手段と、を有する。
【図面の簡単な説明】
【０００８】
【図１】第一実施形態に係る水質分析装置の構成を示す概略図。
【図２】第一実施形態に係る試料固定部材を示す外観斜視図。
【図３】第二実施形態に係る試料固定部材を示す外観斜視図。
【図４】第三実施形態に係る試料固定部材を示す外観斜視図。
【図５】第四実施形態に係る試料固定部材を示す外観斜視図。
【図６】第二実施形態に係る水質分析システムを示す模式図。
【発明を実施するための形態】
【０００９】
以下、実施形態の水質分析装置、水質分析システムを、図面を参照して説明する。
【００１０】
（水質分析装置：第一実施形態）
図１は、第一実施形態に係る水質分析装置の構成を示す概略図である。
図１に示す本実施形態の水質分析装置１０は、試料水、例えば、浄水場における原水や処理水、あるいは工場排水などに含まれる有害物質、特に異臭原因物質を高い検出感度で分析するものである。実施形態の水質分析装置では、有害物質として、２−メチルイソボルネオール、ゲオスミン、トリハロメタン、およびフミン質のうち、少なくとも何れか１つ以上を含むものを分析対象としている。
【００１１】
水質分析装置１０は、有害物質を捕捉する試料固定部材１１と、この試料固定部材１１に光源光を照射する光源１２と、分析光を分光分析する分析部１３とを備えている。
また、水質分析装置１０には、試料固定部材１１に試料水Ｗ１を供給する試料水供給手段１５や、試料固定部材１１に再生液Ｗ２を供給する再生液供給手段１６を接続することができる。
【００１２】
試料固定部材１１は、表面に試料水Ｗ１に接触させることによって、試料水Ｗ１に含まれる特定の有害物質を捕捉し、包接化合物として固定する部材である。試料固定部材１１の詳細な構成は後述する。
【００１３】
光源１２は、可視光、紫外光、赤外光などの光源光（励起光）Ｌ１を発する。光源光Ｌ１の種類は分析部１３の構成に応じて選択される。本実施形態では、光源１２として、蛍光体を励起させるための励起光である紫外光光源を用いている。
【００１４】
分析部１３は、試料固定部材１１に光源光Ｌ１を照射することによって得られる分析光Ｌ２の分光分析を行う。分析部１３としては、蛍光分光光度計、赤外分光光度計などが挙げられる。本実施形態では、分析部１３として蛍光分光光度計を用いている。
【００１５】
試料固定部材１１に試料水Ｗ１を連続して流す試料水供給手段１５は、例えば、試料固定部材１１の表面に試料水を導くポンプ、配管、バルブなどから構成されていればよい。また、再生液供給手段１６は、再生液貯留タンクや、試料固定部材１１の表面に再生液Ｗ２を導く配管、バルブなどから構成されていればよい。
なお、試料水供給手段１５や再生液供給手段１６を特に設けずに、試料固定部材１１を試料水を貯留した水槽の内部に配したり、試料固定部材１１を再生液を貯留した液槽の内部に浸したりする構成であってもよい。
【００１６】
図２は、試料固定部材を示す外観斜視図である。
試料固定部材１１は、光源光を透過可能な基材２１と、光源光Ｌ１の入射面２１ａの対向面を成す形成面（一面）に形成された包接層２２とを有する。包接層２２は、その表面２２ａに試料水Ｗ１や再生液Ｗ２が接する。
【００１７】
基材１１は、光源光Ｌ１が透過可能であり、光源光Ｌ１の減衰が少ないな材料、例えば石英ガラスによって形成されている。石英ガラスは光吸収が少なく、光源光Ｌ１を大きく減衰させることがない。
【００１８】
包接層２２は、ホスト材料と、蛍光物質と、結合剤とを含む材料から構成されている。
ホスト材料は、分析対象となる有害物質を包接可能な物質、即ち、分析対象の有害物質との間で包接化合物を形成する材料から選択される。例えば、有害物質として、２−ＭＩＢ、ゲオスミン、トリハロメタン、およびフミン質を分析対象とする場合、これらを包接可能なホスト材料としては、シクロデキストリン、クラウンエーテル、カリックスアレーン、カーボンナノチューブなどが挙げられる。
【００１９】
これらホスト材料としては、分析対象の有害物質を取り込み可能なサイズの空間（キャビティ）が分子構造内にあることが重要である。本実施形態では、包接層２２のホスト材料として、シクロデキストリンを用いている。
【００２０】
蛍光物質は、光源光Ｌ１を励起光として、シクロデキストリンに包接された汚染物質の量に応じた蛍光を発する。実施形態に用いる蛍光物質としては、フェノール、テトラセン、Ａ−ヒドロキシ−Ｂ−カルボキシル−ナフタレンが挙げられる。例えば、ホスト材料としてシクロデキストリンを用い、このシクロデキストリンに蛍光物質であるＡ−ヒドロキシ−Ｂ−カルボキシル−ナフタレンを付加加成することによって、Ｘ−ヒドロキシナフタレン−Ｙ−アミド化シクロデキストリンを蛍光性ホスト化合物とするシクロデキストリン誘導体が得られる。
【００２１】
結合剤は、ホスト材料と基材１１とを結合させる物質であり、実施形態ではシランカップリング剤を用いている。シランカップリング剤としては、例えば、ビニルトリエトキシシランに代表されるビニル系、グリシドキシプロピルトリメトキシシランに代表されるエポキシ系、メタクリロキシプロピルメチルジメトキシシランに代表されるメタクリル系、アクリロキシプロピルトリメトキシシランに代表されるアクリル系などが挙げられる。
【００２２】
以上のような構成の水質分析装置１０を用いて有害物質の濃度を分析する際には、試料水を試料水供給手段１５によって試料固定部材１１の包接層２２に試料水Ｗ１を接触させる。例えば、試料水Ｗ１を包接層２２の表面に沿って、所定の流速で所定時間流す。包接層２２に試料水Ｗ１が接触すると、試料水Ｗ１に含まれる有害物質、例えば２−メチルイソボルネオール、ゲオスミン、トリハロメタン、フミン質がホスト材料の分子構造に存在する空洞内に取り込まれ、ホスト材料と有害物質との包接化合物を形成する。
【００２３】
こうした包接化合物の形成量は、試料水Ｗ１の流量と時間に比例する。即ち、試料水Ｗ１の流量が多いほど、また試料水Ｗ１を流す時間が長いほど、汚染物質がより多くホスト材料に取り込まれ、包接化合物の濃度が高められる。これにより、汚染物質が包接層２２に濃縮される。
【００２４】
次に、この試料固定部材１１に対して、光源１２から励起光となる光源光Ｌ１を照射する。こうした光源光Ｌ１を照射によって、包接層２２を構成する蛍光物質が励起され蛍光（分析光）を発する。包接層２２で発する蛍光の強度は包接層２２に形成されたホスト材料と有害物質との包接化合物の濃度によって変化する。即ち、包接化合物の濃度が高まるほど、生じる蛍光強度が強まるか、あるいは弱まる。
【００２５】
こうした包接層２２で生じた蛍光（分析光）を分析部１３によって分光分析する。例えば、分析部１３として蛍光分光光度計を用い、蛍光スペクトルを取得して極大強度となる波長における蛍光強度を測定する。これにより、包接化合物の濃度、即ち、包接層２２で捕捉された有害物質の種類ごとの濃度を得る。
【００２６】
次に、分析が完了した試料固定部材１１に対して、再生液供給手段１６から、再生液Ｗ２を包接層２２の表面に沿って所定時間流す。これによって、試料固定部材１１の包接層２２に包接されていた有害物質がホスト材料から離脱して再生液Ｗ２とともに流される。ホスト材料や蛍光物質は結合剤によって基材１１に結合されているので、殆ど流出することは無い。これによって、包接層２２から有害物質が取り除かれ、一度分析に用いた試料固定部材１１を再び有害物質の捕捉、分析に用いることができる。
【００２７】
再生液Ｗ２としては、精製水、メタノール、エタノール、アセトンのうち、少なくとも何れか１つ以上を含む液体を用いることが好ましい。例えば、メタノールを混合した精製水を再生液Ｗ２として用いることができる。
【００２８】
以上のような構成の第一実施形態の水質分析装置１０の作用を説明する。
実施形態の水質分析装置１０によれば、試料水Ｗ１に含まれる有害物質の分析を行う際に、有害物質との間で包接化合物を形成可能なホスト材料を含む包接層２２を基材１１に形成してなる試料固定部材１１に試料水Ｗ１を連続して流すことによって、有害物質が試料固定部材１１に濃縮固定される。これによって、試料水Ｗ１に含まれる有害物質を高い検出感度で分析することが可能になる。
【００２９】
例えば、従来のように、単にホスト材料を試料水中に分散させただけでは、光源光の光路中のホスト材料の密度が低くなり、有害物質の検出感度を高めることが難しい。有害物質を濃縮するには、測定対象の試料水とホスト材料とを接触させた後、ホスト材料のみを分離して、新しい試料水と接触させる工程を複数回繰り返すなど、手間の掛かる工程が必要になる。また、検出対象の有害物質以外の成分の存在による検出感度の低下も懸念される。
【００３０】
一方、本実施形態では、基材１１に包接層２２を形成した試料固定部材１１を用いることによって、ホスト材料の存在密度が大幅に高められる。そして、試料水を試料固定部材１１に連続して流すだけで、分析対象の有害物質だけを選択的にホスト材料に取り込んで、試料固定部材１１で分析対象の有害物質の濃度が高められ、有害物質の検出感度を高めることが可能になる。
【００３１】
また、本実施形態では、ホスト材料は結合剤によって基材１１に結合されているので、ホスト材料、例えばシクロデキストリンが分析後の排水に混合して流出することが無い。
【００３２】
また、本実施形態では、分析後に再生液Ｗ２を試料固定部材１１に流すだけで、有害物質をホスト材料から取り除くことができ、試料固定部材１１を繰り返し利用することができる。これによって、分析の都度、新たなホスト材料を用意する必要が無く、低コストに有害物質の分析を行うことができる。
【００３３】
本実施形態では、試料水Ｗ１を試料固定部材１１の包接層２２に接するように連続して流しているが、静止した試料水の液槽に試料固定部材１１を挿入し、有害物質を包接層２２に包接させて濃縮することもできる。こうした静止した試料水であっても、有害物質の検出感度を高めることができる。
【００３４】
また、本実施形態では、有害物質の分析にあたって分析部１３として蛍光分光光度計を用いているが、これ以外にも、試料固定部材１１を透過する透過光を分析光として利用し、有害物質の分析を行うこともできる。例えば、分析部１３として赤外分光光度計を用い、有害物質を包接された試料固定部材１１に赤外光（光源光）を照射して試料固定部材１１を透過させ、この透過光（分析光）によって有害物質の濃度を高い検出感度で分析することもできる。こうした透過光を分析に用いる場合、包接層２２をホスト材料とこれを固定する結合剤とで構成し、蛍光物質は特に用いる必要はない。
【００３５】
（水質分析装置：第二実施形態）
図３は、第二実施形態に係る水質分析装置の試料固定部材を示す外観斜視図である。
本実施形態では、試料固定部材３０として、一端が閉塞された四角筒状の基材（セル）３１と、この基材３１の４面の内壁面のうちの一面に形成された包接層３２とからなる。基材３１は、例えば石英から形成される。また、包接層３２は、第一実施形態と同様にホスト材料と、蛍光物質と、結合剤とを含む材料から構成されている。
【００３６】
本実施形態では、セル状の基材３１内に試料水を注入し、所定時間静置して包接層３２に有害物質を包接させる。そして、光源光（励起光）Ｌ１を試料固定部材３０に照射して、生じた分析光（蛍光）を分光分析する。この実施形態のように試料水を流さずにセル状の基材３１内に静置させる方法であっても、包接層３２に有害物質を包接させることによって、有害物質が包接層３２に濃縮され、高い検出感度で有害物質の分析を行うことができる。
【００３７】
（水質分析装置：第三実施形態）
図４は、第三実施形態に係る水質分析装置の試料固定部材を示す外観斜視図である。
本実施形態では、試料固定部材４０として、一端および他端が閉塞され、流入口４１ａおよび流出口４１ｂが形成された四角筒状の基材（セル）４１と、この基材４１の４面の内壁面のうちの一面に形成された包接層４２とからなる。基材４１は、例えば石英から形成される。また、包接層４２は、第一実施形態と同様にホスト材料と、蛍光物質と、結合剤とを含む材料から構成されている。
【００３８】
本実施形態では、セル状の基材４１の流入口４１ａから試料水Ｗ１を連続して基材（セル）４１内に流入させ、流出口４１ｂから排出させる。この過程で包接層４２のホスト材料に有害物質が包接され、試料水Ｗ１の流入量に応じて濃縮される。そして、光源光（励起光）Ｌ１を試料固定部材４０に照射して、生じた分析光（蛍光）を分光分析する。この実施形態のように試料水を連続してセル状の基材４１内に流す方法であっても、有害物質が包接層４２に連続して濃縮され、高い検出感度で有害物質の分析を行うことができる。
【００３９】
また、試料固定部材４０の再生時においても、再生液Ｗ２を流入口４１ａから流入させて流出口４１ｂから排出させることによって、試料固定部材４０のホスト材料から容易に有害物質を取り除くことができる。
【００４０】
（水質分析装置：第四実施形態）
図５は、第四実施形態に係る水質分析装置の試料固定部材を示す外観斜視図である。
本実施形態では、試料固定部材５０として、一端が閉塞され、外形が長方形筒状であり、内部が３つの領域Ｅ１，Ｅ２，Ｅ３に区画された基材（セル）５１と、この基材５１の３つの区画Ｅ１，Ｅ２，Ｅ３のそれぞれの内壁面のうちの一面に形成された包接層５２Ａ，５２Ｂ，５２Ｃとからなる。即ち、包接層が互いに離間され、かつ並列に配された構成とされている。基材５１は、例えば石英から形成される。また、包接層５２Ａ，５２Ｂ，５２Ｃは、第一実施形態と同様にホスト材料と、蛍光物質と、結合剤とを含む材料から構成されている。
【００４１】
本実施形態では、セル状の基材５１の３つの区画Ｅ１，Ｅ２，Ｅ３内にそれぞれ試料水を注入し、所定時間静置して包接層５２Ａ，５２Ｂ，５２Ｃに有害物質を包接させる。そして、光源光Ｌ１を包接層５２Ａから５２Ｃに向けて透過させ、生じた分析光（透過光）を分光分析する。この実施形態のように試料水を流さずにセル状の基材５１内に静置させる方法であっても、基材５１の３つの区画Ｅ１，Ｅ２，Ｅ３内に分割して、各区画に形成した包接層５２Ａ，５２Ｂ，５２Ｃに有害物質を同時に包接させることによって、試料水に含まれる有害物質を効率的に包接層５２Ａ，５２Ｂ，５２Ｃに捕捉することができる。そして、これら包接層５２Ａ，５２Ｂ，５２Ｃを貫通させた透過光（分析光）を用いて有害物質の分析を行うことで、１層の包接層で分析を行う場合と比較して、高い検出感度で有害物質の分析を行うことができる。
【００４２】
（水質分析システム）
図６は、実施形態の水質分析システムを示す模式図である。
実施形態の水質分析システム６０は、試料固定部材１１と、試料水供給手段１５から延びる配管のバルブＶ１および再生液供給手段１６から延びる配管のバルブＶ２とをそれぞれ備えた３つの第１から第３のユニットＵ１〜Ｕ３を備えている。また、これら第１から第３のユニットＵ１〜Ｕ３の動作を制御する制御部６１、試料水を供給する試料水供給手段１５、再生液を供給する再生液供給手段１６、光源１２、および分析部１３を備えている。なお、光源１２および分析部１３は、第１から第３のユニットＵ１〜Ｕ３のそれぞれに形成されていても、あるいは１つの光源１２および分析部１３を第１から第３のユニットＵ１〜Ｕ３の間で共用してもよい。
【００４３】
水質分析システム６０の制御部６１は、第１から第３のユニットＵ１〜Ｕ３をそれぞれ別な動作モードになるように制御する。例えば、図６に示す例では、第１ユニットＵ１では、試料水供給手段１５から試料水Ｗ１を連続して試料固定部材１１に供給し、ホスト材料に有害物質を包接させて蓄積する濃縮工程Ｓ１を行っている。
【００４４】
また、第２ユニットＵ２では、濃縮工程を経た試料固定部材１１に対して光源１２から光源光（励起光）Ｌ１を照射し、発生した分析光（蛍光）Ｌ２を分析部１３で蛍光分光分析を行うことにより、試料水に含まれる有害物質を分析する分析工程Ｓ２を行っている。
【００４５】
また、第３ユニットＵ３では、分析工程を経た試料固定部材１１に対して再生液供給手段１６から再生液Ｗ２を連続して供給し、ホスト材料に包接された有害物質をホスト材料から取り除く再生工程Ｓ３を行っている。
【００４６】
これら第１から第３のユニットＵ１〜Ｕ３に対して、それぞれ濃縮工程Ｓ１、分析工程Ｓ２、再生工程Ｓ３を行い、再び濃縮工程Ｓ１に戻るサイクルを順次行う。また、第１から第３のユニットＵ１〜Ｕ３は、常に互いに異なる工程を行っている。
【００４７】
このような水質分析システム６０によれば、試料固定部材１１をそれぞれ備えた第１から第３のユニットＵ１〜Ｕ３をそれぞれに、互いに別な動作モードとなるように濃縮工程Ｓ１、分析工程Ｓ２、再生工程Ｓ３を順次行わせることで、試料水Ｗ１に含まれる有害物質を切れ目なく連続して効率よく分析し続けることが可能になる。
【００４８】
なお、本実施形態の水質分析システム６０では、試料固定部材１１を備えたユニットを３つ形成しているが、４つ以上のユニットから水質分析システムを構成することもできる。この場合、複数ユニットで１つの工程を行うことにより、より効率的に有害物質の分析を行うことが可能になる。
【００４９】
以上説明した少なくともひとつの実施形態によれば、試料水に含まれる有害物質の分析を行う際に、有害物質との間で包接化合物を形成可能なホスト材料を含む包接層を基材に形成してなる試料固定部材に試料水を連続して流すことによって、有害物質が試料固定部材に濃縮固定される。これによって、試料水に含まれる有害物質を高い検出感度で分析することが可能になる。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１０…水質分析装置、１１…試料固定部材、１２…光源、１３…分析部、２１…基材、２２…包接層。
【図１】
0006622074.tif 000002
【図２】
0006622074.tif 000003
【図３】
0006622074.tif 000004
【図４】
0006622074.tif 000005
【図５】
0006622074.tif 000006
【図６】
0006622074.tif 000007